(57)【要約】【課題】簡単な操作で水はり試運転を実行できるとともに、通常使用時には水はり試運転モードに移行しない温水暖房システムを提供することを目的とする。【解決手段】設置時の水はり試運転／暖房試運転を行う際には、一つのスイッチ（風呂リモコン７３の給湯スイッチ７７）を長押し操作するだけですみ、複雑な操作を必要とせず、簡単に実行することができる。このため、設置業者は、迅速かつ確実に温水暖房システム１の設置作業を行うことが可能となる。しかも、給湯スイッチ７７は給湯動作開始を指示するメインの操作スイッチであるから、設置業者が水はり試運転の指示の際にまようこともないし、押し間違えて温水暖房システム１を誤動作させることもない。【選択図】  図１
2005009700.tif 000002
【特許請求の範囲】
【請求項１】
暖房用放熱器と循環パイプを介して接続され、循環路内の水を循環加熱する暖房熱源部と、
通水を加熱して温水を台所等の一般給湯栓あるいは浴槽へ給湯する給湯部と、
上記給湯部を給湯可能状態にする運転スイッチと各種の給湯動作に関わる設定を行う複数の操作スイッチとを備え、上記給湯部に対して遠隔指令するリモコンと
を備えた温水暖房システムにおいて、
上記運転スイッチを所定時間以上押し続けることにより、上記暖房熱源部の循環運転を開始するとともに上記循環路内に水を補給する水はり試運転を行うことを特徴とする温水暖房システム。
【請求項２】
上記給湯リモコンは、出湯温度等の給湯動作に関わる各種設定値を表示する表示部を備え、
上記水はり試運転の結果を上記表示部に表示することを特徴とする請求項１記載の温水暖房システム。
【請求項３】
電源投入後、所定回数以上、上記運転スイッチが押し操作された後は、上記運転スイッチが所定時間以上押し続けられても、上記水はり試運転を禁止することを特徴とする請求項１又は請求項２記載の温水暖房システム。
【発明の詳細な説明】
【０００１】
【発明の属する技術分野】
本発明は、温水を循環させて暖房を行う温水暖房システムに関する。
【０００２】
【従来の技術】
従来から、通水を加熱する熱交換器から放熱器（例えば、床暖房ユニット）へ温水を導くとともに、放熱器で放熱した温水を熱交換器へ導くための温水循環路を備えた温水暖房システムが知られている。
このような温水暖房システムでは、設置時に温水循環路に水を満たす水はり試運転を行う必要がある。そして、水はり試運転は、温水暖房システムの設置業者が行うのみで、一般の使用者にはほとんど関係の無いものである。
そこで、温水暖房システムを遠隔操作する操作リモコンに設けられた通常の運転操作にかかる複数の操作スイッチの内、特定の複数の操作スイッチを同時に、かつ所定時間に亘って操作することにより、水はり試運転を行う温水暖房システムが特許文献１に提案されている。
このような温水暖房システムでは、操作リモコンに普段使用しない水はり試運転専用の操作スイッチを設けることなく、操作リモコンの操作によって、水はり試運転を行うことが可能となる。
【０００３】
【特許文献１】
特公平７−１１１２６４号公報
【０００４】
【発明が解決しようとする課題】
しかしながら、複数の操作スイッチを同時に押す操作は、複雑でありどのスイッチとどのスイッチとを同時に押していいのか迷い、誤操作しやすいという問題があった。しかも、複数の操作スイッチを同時に操作しようとすると、他の操作スイッチに触れやすくなってしまうため、誤作動をさせないために慎重に操作しなければならず、煩わしいものであった。
また、一般の使用者の通常使用時において、偶然に特定の組み合わせで操作スイッチを押してしまうと、突然水はり試運転モードに入ってしまうという問題があった。
本発明は上記課題を解決し、簡単な操作で水はり試運転を実行できるとともに、通常使用時には水はり試運転モードに移行しない温水暖房システムを提供することを目的とする。
【０００５】
【課題を解決するための手段】
上記課題を解決する本発明の請求項１記載の温水暖房システムは、
暖房用放熱器と循環パイプを介して接続され、循環路内の水を循環加熱する暖房熱源部と、
通水を加熱して温水を台所等の一般給湯栓あるいは浴槽へ給湯する給湯部と、
上記給湯部を給湯可能状態にする運転スイッチと各種の給湯動作に関わる設定を行う複数の操作スイッチとを備え、上記給湯部に対して遠隔指令するリモコンと
を備えた温水暖房システムにおいて、
上記運転スイッチを所定時間以上押し続けることにより、上記暖房熱源部の循環運転を開始するとともに上記循環路内に水を補給する水はり試運転を行うことを要旨とする。
【０００６】
また、本発明の請求項２記載の温水暖房システムは、上記請求項１記載の温水暖房システムにおいて、
上記給湯リモコンは、出湯温度等の給湯動作に関わる各種設定値を表示する表示部を備え、
上記水はり試運転の結果を上記表示部に表示することを要旨とする。
【０００７】
また、本発明の請求項３記載の温水暖房システムは、上記請求項１又は請求項２記載の温水暖房システムにおいて、
電源投入後、所定回数以上、上記運転スイッチが押し操作された後は、上記運転スイッチが所定時間以上押し続けられても、上記水はり試運転を禁止することを要旨とする。
【０００８】
上記構成を有する本発明の請求項１記載の温水暖房システムは、暖房用放熱器に温水を循環供給して暖房を行う暖房熱源部と、温水を台所や風呂場等の一般給湯栓に出湯する給湯部とを備える。
そして、暖房熱源部の循環運転を開始するとともに循環路内に水を補給する水はり試運転を行う場合、給湯部に対して遠隔指令するリモコンに設けられた運転スイッチを所定時間以上押し続けると水はり試運転が実行される。従って、水はり試運転を行う際にも一つのスイッチを操作するだけですみ、複雑な操作を必要とせず、簡単に実行することができる。
しかも、運転スイッチは給湯動作を可能状態にするメインのスイッチであるから、設置業者が水はり試運転の指示の際にまようこともないし、押し間違えることもない。更に、給湯動作は、運転スイッチが操作されて始めて可能となるため、水はり試運転を行おうとして間違って他の操作スイッチを押してしまっても、給湯可能状態となっていないので、誤動作することはない。
【０００９】
また、本発明の請求項２記載の温水暖房システムは、出湯温度等の給湯動作に係る各種設定値を表示する表示部を利用して、水はり試運転の結果を表示する。このため、水はり試運転の結果を表示するためにわざわざ別に表示装置を設ける必要がなく、コストアップを抑制できる。
【００１０】
また、本発明の請求項３記載の温水暖房システムは、電源投入後、所定回数以上、運転スイッチを押し操作すると、水はり試運転の実行が禁止される。つまり、温水暖房システムの設置後、所定回数以上給湯部を使用すると、水はり試運転が実行できなくなるので、一般の使用者が使用している通常時に、誤って水はり試運転を実行してしまうことを防止できる。しかも、通常使用する運転スイッチの押し操作で禁止されるため、禁止スイッチのような特別のスイッチを設ける必要もない。
設置業者が水はり試運転終了後に運転スイッチを所定回数以上押し操作しておけば、一般の使用者によって水はり試運転が実行されてしまうことはない。
【００１１】
【発明の実施の形態】
以上説明した本発明の構成・作用を一層明らかにするために、以下本発明の温水暖房システムの好適な実施形態について説明する。
【００１２】
図１は、本実施形態としての温水暖房システムの概略構成図である。
この温水暖房システム１は、暖房燃焼本体２と給湯燃焼本体３とを備え、各本体が本体ケース４に収納される。
【００１３】
暖房燃焼本体２は、床下に設けられた低温放熱器５（床暖房ユニット）及びエアコンや浴室乾燥機やパネルヒーター等に代表される高温放熱器６に暖房水を循環させる暖房循環路７と、複数のフィンを所定間隔あけて備え暖房水を加熱する暖房熱交換器８と、暖房熱交換器８を下方から加熱する暖房バーナ９とを備える。
低温放熱器５、高温放熱器６には、それぞれ主要部をマイコンによって構成された低温側コントローラ９６、高温側コントローラ９７が設けられ、これらのコントローラ９６，９７によって運転操作される。
【００１４】
暖房循環路７は、暖房水を暖房熱交換器８へ送る暖房戻り管１１と、暖房熱交換器８で加熱された高温の暖房水を高温放熱器６へ送る暖房高温往き管１２と、暖房戻り管１１から分岐して暖房熱交換器８を介さず直接低温の暖房水を低温放熱器５へ送る暖房低温往き管１３とで循環加熱路を形成するとともに、暖房戻り管１１と暖房高温往き管１２の高温放熱器６下流部とを繋ぐバイパス管１５と、後述する風呂熱交換器１６内を通過する浴槽水加熱管１７とを備える。この浴槽水加熱管１７は、暖房戻り管１１のバイパス管１５下流部と暖房高温往き管１２のバイパス管１５上流部とを繋いだものである。バイパス管１５は、暖房高温往き管１２よりも直径が小さい。
【００１５】
浴槽水加熱管１７の風呂熱交換器１６下流には、風呂熱動弁１８が設けられる。また、暖房低温往き管１２には、低温側熱動弁１９が設けられ、その下流で低温放熱器５と接続する。低温放熱器５内では、管が蛇行して形成され、その下流端が暖房戻り管１１に接続される。同様に、高温放熱器６の放熱流路にも高温側熱動弁２０が設けられる。
この暖房高温往き管１２には、暖房熱交換器８の近傍に加熱後の湯温を検知する暖房出湯サーミスタ２１が設けられる。また、暖房戻り管１１の浴槽水加熱管１７との接続部下流には、上流側から順に、暖房水の熱膨張に対応するための開放式膨張タンク２２、暖房水を循環させる暖房循環ポンプ２３、加熱前の湯温を検知する暖房入水サーミスタ２４が設けられる。
【００１６】
膨張タンク２２には、水位を検知する下限暖房水位電極２５、上限暖房水位電極２６が設けられる。また、膨張タンク２２には、上限暖房水位電極２６の下端より上方で、オーバーフロー管２７が接続される。また、膨張タンク２２の上部に一般給湯管２８から分岐した注水管２９が接続され、注水管２９を開閉する注水電磁弁３０が設けられる。
【００１７】
一方、給湯燃焼本体３は、通水を供給させる給湯路３１と、複数のフィンを所定間隔あけて備え給湯路３１内の通水を加熱する給湯熱交換器３２と、給湯熱交換器３２を下方から加熱する給湯バーナ３３とを備える。
【００１８】
給湯路３１には、上流側から順に、入水量を検知する給湯水量センサ３４、入水温を検知する給湯入水サーミスタ３５、設定湯温が得られるように通水量を調整する水量制御モータ３６、熱交換後の湯温を検知する給湯熱交換器出口サーミスタ３７が設けられる。給湯バーナ３３は、燃焼能力の異なる三組のバーナ群からなり、燃焼量に応じて燃焼するバーナ群が切り替えられる。
更に、給湯路３１には、給湯熱交換器３２の上流と下流とを繋ぐバイパス路３８と、そのバイパス路３８を開閉するバイパス弁３９とが設けられる。このバイパス路３８の下流流路は、台所の給湯カラン４０に連通する一般給湯管２８と、浴槽４１へ給湯するための落とし込み管４２とに分岐する。一般給湯管２８には、バイパス路３８を通過する水と熱交換後の湯との混合湯の温度を検知する給湯出湯サーミスタ４３が設けられる。
【００１９】
落とし込み管４２は、浴槽水を循環させる風呂循環路４４と給湯路３１とを接続するもので、上流側から順に、落とし込み管４２を開閉する落とし込み電磁弁４５、給湯路３１から風呂循環路４４への流量を検知する落とし込み流量センサ４６、逆流を防止する二個の逆止弁４７、浴槽４１の水位を検出する風呂水位センサ４８が設けられる。
【００２０】
風呂循環路４４は、浴槽水を風呂熱交換器１６へ送る風呂戻り管４９と、風呂熱交換器１６で加熱された浴槽水を浴槽４１へ送る風呂往き管５０とで循環加熱路を形成する。この風呂戻り管４９には、上流側から順に、追い炊き前の湯温を検知する風呂入水サーミスタ５２、浴槽水を循環させる風呂循環ポンプ５３、循環水の流れを確認する流水スイッチ５４が設けられる。また、風呂熱交換器１６には、同軸に暖房循環路７の浴槽水加熱管１７が内挿される。
【００２１】
ガス流路５５は、上流側で給湯側ガス流路５６と暖房側ガス流路５７とに分岐し、給湯側ガス流路５６では上流側から順に、ガス流路を開閉する元電磁弁５８、通電量に応じたガス流量を制御する比例弁５９、三組のバーナ群３３へのガス流路を独立して開閉する給湯電磁弁９２，９３，９４がそれぞれ設けられ、各々独立した燃焼制御が行われる。一方、暖房側ガス流路５７では、上流側から順に、ガス流路を開閉する元電磁弁６１、通電量に応じたガス流量を制御する比例弁６２、暖房バーナ９へのガス流路を開閉する暖房電磁弁６３が設けられる。
暖房燃焼本体２、給湯燃焼本体３には、燃焼用空気を供給する暖房ファン６４、給湯ファン６５及び燃焼排気を排出する暖房排気口６６、給湯排気口６７がそれぞれ設けられる。
【００２２】
暖房バーナ９、給湯バーナ３３には、イグナイタ９５の作動によりガスへ着火する電極６８，６９、燃焼炎を検知するフレームロッド７０，７１が設けられ、前記のセンサ類・アクチュエータ類とともに、暖房運転、給湯運転、浴槽水追炊運転の全ての制御を司るシステムコントローラ７２と電気的に接続される。
また、システムコントローラ７２には、暖房燃焼本体２、給湯燃焼本体３の両方を制御する浴室に設けられた風呂リモコン７３と、台所に設けられた給湯リモコン７４と、低温側コントローラ９６と、高温側コントローラ９７とが電気的に接続される。
【００２３】
風呂リモコン７３は、図２に示すように、ケース７５上面に、浴槽４１への湯張り、保温を行うための風呂自動スイッチ７６、水栓やシャワー等を給湯可能状態にする給湯スイッチ７７（本発明における運転スイッチ）、浴槽湯温を高くするための「あつめ」スイッチ７８、浴槽湯温や給湯温度等を表示する表示部７９、マイク８０、スピーカー８１、インターホンスイッチ８２が、それぞれ配設されるとともに、ケース７５の陥没部８３に、給湯温度のアップ・ダウンスイッチ８４，８５、浴槽湯温や湯量を増減するアップ・ダウンスイッチ８６，８７、湯量を設定する湯量スイッチ８８、浴槽４１に所定量の湯を追加する足し湯スイッチ８９、浴槽４１に所定量の水を追加する「ぬるめ」スイッチ９０がそれぞれ配設される。
風呂リモコン７３のケース蓋９１は、通常、陥没部８３を覆って操作頻度の少ない各スイッチを隠すことで使い勝手を良くしている。
【００２４】
次に、温水暖房システム１を設置した際に行う暖房循環路７への水はり試運転及び暖房試運転について、図３，４のフローチャートを用いて説明する。尚、図３は、制御モード決定ルーチンである。
温水暖房システム１に電源が投入されている状態においては、給湯スイッチ７７がＯＮされるまで待機する（Ｓ１：ＮＯ）。
給湯スイッチ７７がＯＮされると（Ｓ１：ＹＥＳ）、給湯スイッチ７７のＯＮ操作回数をカウントするためのカウント値ｎに１を加えて記憶する（Ｓ２）。そして、給湯スイッチ７７が離されるまでの押し時間ｔを計測する（Ｓ３）。
【００２５】
押し時間ｔが５秒以下の場合、すなわち、給湯スイッチ７７が５秒以内で離された場合は、通常の給湯動作を指示する操作であるから、水栓やシャワー等を給湯可能状態にする給湯制御に移行する（Ｓ６）。押し時間ｔが５秒以上、３０秒未満の場合、すなわち、給湯スイッチ７７が５〜３０秒の間連続押しされると、後述する水はり試運転制御に移行する（Ｓ７）。押し時間ｔが３０秒以上の場合、すなわち、給湯スイッチ７７が３０秒以上押されっぱなしになった場合は、給湯スイッチ７７のＯＮ故障であると判断して、その旨を表示部７９に表示する（Ｓ８）。
また、押し時間ｔが５秒以上、３０秒未満であっても、カウント値ｎが５回よりも多い場合（Ｓ５：ＹＥＳ）は、給湯制御に移行する（Ｓ６）。つまり、電源投入後、給湯スイッチ７７が６回以上ＯＮ操作されると、水はり試運転制御の実行は禁止される。
尚、器具本体の電源プラグをコンセントから抜いて電源をＯＦＦにすると、カウント値ｎの記憶が消される。そして、次の電源投入時にカウント値ｎは、ゼロクリアされる。
【００２６】
次に、水はり試運転制御及び暖房試運転制御について、図４のフローチャートを用いて説明する。
試運転制御が開始されると、風呂リモコン７３の表示部７９に試運転中である旨を表示し（Ｓ９）、注水電磁弁３０をＯＮ状態にする（Ｓ１０）。
【００２７】
注水電磁弁３０は、ＯＮ状態になると上限暖房水位電極２６と下限暖房水位電極２５との状態に応じて通電制御され開閉される。つまり、水位が下限暖房水位電極２５より低い場合には開弁され、上限暖房水位電極２６より高い場合には閉弁される。この結果、膨張タンク２２内に水が補給される。
そして、暖房循環ポンプ２３をＯＮし、風呂熱動弁１８、低温側熱動弁１９、高温側熱動弁２０を開弁して、暖房循環路７に水を供給する（Ｓ１１）。この水はり動作は、膨張タンク２２に水が２分以上連続して供給されなくなるまで行う（Ｓ１２：ＮＯ）。膨張タンク２２に連続して２分以上水が供給されなくなったことを検知する（Ｓ１２：ＹＥＳ）と、暖房循環路７内の空気が完全に水によって置換され、配管の水漏れも無いと考えられるため、水はり試運転が良好に完了したと判断して、表示部７９に水はり試運転完了の旨を表示する（Ｓ１３）。そして、暖房バーナ９を点火して（Ｓ１４）、暖房試運転を行う。また、水はり試運転開始後、３０分以上経過しても、膨張タンク２２に水が供給され続ける場合には（Ｓ１５：ＹＥＳ）、配管のどこかから水洩れしていると考えられるため、表示部７９に水はり試運転エラーの旨を表示する（Ｓ１６）。
【００２８】
暖房試運転においては、暖房バーナ９点火後、低温側コントローラ９６と高温側コントローラ９７とで低温放熱器５と高温放熱器６での温度上昇が正常であったことが検出され、その旨が各コントローラ９６，９７から出力されると（Ｓ１７：ＹＥＳ）、暖房試運転も良好に実行されたと判断して、表示部７９に暖房試運転完了の旨を表示する（Ｓ１８）。そして、暖房バーナ９を消火し（Ｓ１９）、暖房循環ポンプ２３をＯＦＦし、風呂熱動弁１８、低温側熱動弁１９、高温側熱動弁２０を閉弁し（Ｓ２０）、注水電磁弁３０をＯＦＦ状態にして（Ｓ２１）、本ルーチンを終了する。
また、低温放熱器５と高温放熱器６での温度上昇が異常であった結果が出力された場合には（Ｓ１７：ＮＯ）、表示部７９に暖房試運転エラーの旨を表示する（Ｓ２２）。
【００２９】
以上説明した温水暖房システム１によれば、設置時の水はり試運転／暖房試運転を行う際には、一つのスイッチ（風呂リモコン７３の給湯スイッチ７７）を操作するだけですみ、複雑な操作を必要とせず、簡単に実行することができる。このため、設置業者は、迅速かつ確実に温水暖房システム１の設置作業を行うことが可能となる。しかも、給湯スイッチ７７は給湯動作を可能状態にするメインの操作スイッチであるから、設置業者が水はり試運転の指示の際にまようこともないし、押し間違えて温水暖房システム１を誤動作させることもない。さらに、給湯温度のアップ・ダウンスイッチ８４，８５等の給湯スイッチ７７以外の操作スイッチは、給湯スイッチ７７を押して給湯可能状態にしてはじめて入力可能となるので、水はり試運転を行おうとして間違って他の操作スイッチを押してしまっても誤動作することはない。
また、従来の温水暖房システムでは、水はり試運転を実行するためには、給湯スイッチ７７を押して給湯可能状態にした後に特定の複数の操作スイッチを同時に操作する必要があったのに対して、本発明の温水暖房システム１では、給湯スイッチ７７を操作する一段階の操作だけですむ。
【００３０】
更に、水はり試運転／暖房試運転の結果は、出湯温度等の各種設定値を表示する風呂リモコン７３の表示部７９を利用して表示されるため、試運転の結果を表示するためにわざわざ別に表示装置を設ける必要がなく、製造コストを低減できる。
更に、温水暖房システム１の設置後、所定回数以上（本実施形態では、６回以上）給湯スイッチ７７をＯＮ操作すると、水はり試運転／暖房試運転制御が実行できなくなるので、一般の使用者が使用している通常時に、誤って水はり試運転を実行してしまうことを防止できる。
設置業者が水はり試運転終了後に給湯スイッチ７７を所定回数以上押し操作しておけば、一般の使用者によって水はり試運転が実行されてしまうことを確実に防止できる。
【００３１】
以上本発明の実施形態について説明したが、本発明はこうした実施形態に何等限定されるものではなく、本発明の要旨を逸脱しない範囲において、種々なる態様で実施し得ることは勿論である。
例えば、本実施形態の温水暖房システム１では、風呂リモコン７３の給湯スイッチ７７を長押しすることによって、水はり試運転／暖房試運転制御が起動するようにしているが、給湯リモコン７４の給湯スイッチを長押しすることによって起動するようにしてもよい。
また、本実施形態では、水はり試運転／暖房試運転制御の際には、風呂熱動弁１８、低温側熱動弁１９、高温側熱動弁２０を同時に開弁しているが、開弁するタイミングをずらして、低温放熱器５や高温放熱器６に対して、それぞれ一つづつ順番に水はり試運転及び暖房試運転を行うようにしてもよい。
また、本実施形態では、給湯スイッチ７７がＯＮされる回数で試運転制御への移行を禁止するようにしているが、ＯＮ操作に加えＯＦＦ操作される回数もカウントし、その合計回数で禁止するようにしてもよい。
【００３２】
【発明の効果】
以上詳述したように、本発明の請求項１記載の温水暖房システムによれば、設置時の水はり試運転を行う際には、一つのスイッチを操作するだけですみ、複雑な操作を必要とせず、簡単に実行することができる。このため、設置業者は、迅速かつ確実に温水暖房システムの設置作業を行うことが可能となる。しかも、運転スイッチは給湯動作を可能状態にするメインのスイッチであるから、設置業者が水はり試運転の指示の際にまようこともないし、押し間違えて温水暖房システムを誤動作させることもない。さらに、給湯動作は、運転スイッチが操作されて始めて可能となるため、水はり試運転を行おうとして間違って他の操作スイッチを押してしまっても、給湯可能状態となっていないので、誤動作することはない。
【００３３】
更に、本発明の請求項２記載の温水暖房システムによれば、水はり試運転の結果は、出湯温度等の各種設定値を表示する表示部を利用して表示されるため、試運転の結果を表示するためにわざわざ別に表示装置を設ける必要がなく、製造コストを低減できる。
【００３４】
更に、本発明の請求項３記載の温水暖房システムによれば、設置後、所定回数以上運転スイッチを押し操作すると、水はり試運転が実行できなくなるので、一般の使用者が使用している通常時に、誤って水はり試運転を実行してしまうことを防止できる。
【図面の簡単な説明】
【図１】本実施形態としての温水暖房システムの概略構成図である。
【図２】本実施形態としての風呂リモコンの外観図である。
【図３】本実施形態としての制御モード決定ルーチンを表すフローチャートである。
【図４】本実施形態としての温水暖房システムの水はり試運転／暖房試運転制御を表すフローチャートである。
【符号の説明】
１…温水暖房システム、２…暖房燃焼本体、３…給湯燃焼本体、５…低温放熱器、６…高温放熱器、７…暖房循環路、８…暖房熱交換器、９…暖房バーナ、２２…膨張タンク、２３…暖房循環ポンプ、３１…給湯路、７２…システムコントローラ、７３…風呂リモコン、７７…給湯スイッチ、７９…表示部。
【図１】
2005009700.tif 000003
【図２】
2005009700.tif 000004
【図３】
2005009700.tif 000005
【図４】
2005009700.tif 000006